(57)【要約】【課題】作業性が向上され、採取対象物による汚染を抑制することが可能な採取装置および採取方法を提供する。【解決手段】採取対象物２１が先端１１ａ側から吸引される管部材１１と、管部材１１の外周上で管部材１１の長さ方向に沿って相対的に変位可能な拭き取り部材１３ａと、拭き取り部材１３ａを保持する保持部材１３ｂと、保持部材１３ｂに対し、管部材１１の先端１１ａ側とは反対の側である基端１１ｂ側に固定部１５を有して、固定部１５と保持部材１３ｂとの間で管部材１１の外周上を覆う覆い部材１４ａと、を備える。【選択図】図１
2019200105.tif 000002
【特許請求の範囲】
【請求項１】
採取対象物が先端側から吸引される管部材と、
前記管部材の外周上で前記管部材の長さ方向に沿って相対的に変位可能な拭き取り部材と、
前記拭き取り部材を保持する保持部材と、
前記保持部材に対し、前記管部材の先端側とは反対の側である基端側に固定部を有して、前記固定部と前記保持部材との間で前記管部材の外周上を覆う覆い部材と、
を備えることを特徴とする採取装置。
【請求項２】
前記管部材の前記基端側に吸引部が連結されていることを特徴とする請求項１に記載の採取装置。
【請求項３】
前記覆い部材は、前記保持部材の変位に従って前記管部材の長さ方向に沿って相対的に変位可能な収容部に収容され、前記固定部と前記保持部材との距離に応じて前記収容部から引き出されることを特徴とする請求項１または２に記載の採取装置。
【請求項４】
前記覆い部材は、前記管部材の長さ方向に沿う前記保持部材の位置に応じた少なくとも１つの目印を有することを特徴とする請求項１〜３のいずれか１項に記載の採取装置。
【請求項５】
前記保持部材は、前記管部材の先端を格納可能であり、前記保持部材の先端を閉鎖する蓋部材が設けられることを特徴とする請求項１〜４のいずれか１項に記載の採取装置。
【請求項６】
前記保持部材の先端には、前記保持部材の内部を伝って前記採取対象物が垂れ落ちるときに、前記採取対象物を受容する受容部を有することを特徴とする請求項１〜５のいずれか１項に記載の採取装置。
【請求項７】
前記拭き取り部材は、前記管部材を伝って前記採取対象物が垂れ落ちるときに、前記採取対象物を吸収することを特徴とする請求項１〜６のいずれか１項に記載の採取装置。
【請求項８】
前記保持部材は、前記管部材の先端が前記保持部材に格納されたときに、前記管部材の先端部の通過または前記採取対象物の垂れ落ちを抑止する弁部を有することを特徴とする請求項１〜７のいずれか１項に記載の採取装置。
【請求項９】
前記採取対象物を含む容器に対して前記保持部材を支持することが可能な支持部材を備えることを特徴とする請求項１〜８のいずれか１項に記載の採取装置。
【請求項１０】
採取対象物に対して、管部材の先端を配置する工程と、
前記管部材の先端側から前記採取対象物の一部を吸引する工程と、
拭き取り部材を前記管部材の外周上に保持する保持部材に対して、前記管部材を前記採取対象物から引き上げ、前記管部材の長さ方向に沿って前記拭き取り部材を相対的に変位させる工程と、
前記保持部材に対し、前記管部材の先端側とは反対の側である基端側に固定部を有する覆い部材により、前記固定部と前記保持部材との間で前記管部材の外周上を覆う工程と、
を備えることを特徴とする採取方法。
【発明の詳細な説明】
【技術分野】
【０００１】
本発明は、変圧器内絶縁油等の採取に適した採取装置および採取方法に関する。
【背景技術】
【０００２】
変圧器内などの電気絶縁には絶縁油が広く用いられている。絶縁油の導入時期による成分の違いや、経年劣化による成分の変化などに対処するため、絶縁油の一部を採取して分析に供することが行われている。
特許文献１には、油入変圧器において、二重管を通じてガスと油を採取し、ガスを採取する際にはパッキンに注射器の針を差し込む構成の採取装置が記載されている。
特許文献２には、絶縁油を採取するシリンジの上部にバブリング孔を設け、シリンジの内部でバブリングを実施し、絶縁油に含まれるガスをバブリング孔から回収できるように構成した採油装置が記載されている。
【先行技術文献】
【特許文献】
【０００３】
【特許文献１】実公平４−５２９７１号公報
【特許文献２】特開平４−１３２９３５号公報
【発明の概要】
【発明が解決しようとする課題】
【０００４】
注射器（シリンジ）を用いた採取は簡便であるが、近年は作業員の感電を防止するため、採取装置を作業員が直接触れて操作するのではなく、間接活線工法による対処が求められている。間接活線工法の場合、電気絶縁された治具を介して採取装置を操作するため、作業性の向上が求められる。また、変圧器等が設置された現場で速やかに採取を行うためには、現場の汚染を未然に防ぎ、清掃等を含めた作業時間の短縮が求められる。
【０００５】
本発明は、上記事情に鑑みてなされたものであり、作業性が向上され、採取対象物による汚染を抑制することが可能な採取装置および採取方法を提供することを課題とする。
【課題を解決するための手段】
【０００６】
前記課題を解決するため、本発明は、採取対象物が先端側から吸引される管部材と、前記管部材の外周上で前記管部材の長さ方向に沿って相対的に変位可能な拭き取り部材と、前記拭き取り部材を保持する保持部材と、前記保持部材に対し、前記管部材の先端側とは反対の側である基端側に固定部を有して、前記固定部と前記保持部材との間で前記管部材の外周上を覆う覆い部材と、を備えることを特徴とする採取装置を提供する。
【０００７】
前記管部材の前記基端側に吸引部が連結されていてもよい。
前記覆い部材は、前記保持部材の変位に従って前記管部材の長さ方向に沿って相対的に変位可能な収容部に収容され、前記固定部と前記保持部材との距離に応じて前記収容部から引き出されてもよい。
前記覆い部材は、前記管部材の長さ方向に沿う前記保持部材の位置に応じた少なくとも１つの目印を有してもよい。
【０００８】
前記保持部材は、前記管部材の先端を格納可能であり、前記保持部材の先端を閉鎖する蓋部材が設けられてもよい。
前記保持部材の先端には、前記保持部材の内部を伝って前記採取対象物が垂れ落ちるときに、前記採取対象物を受容する受容部を有してもよい。
前記拭き取り部材は、前記管部材を伝って前記採取対象物が垂れ落ちるときに、前記採取対象物を吸収してもよい。
前記保持部材は、前記管部材の先端が前記保持部材に格納されたときに、前記管部材の先端部の通過または前記採取対象物の垂れ落ちを抑止する弁部を有してもよい。
前記採取対象物を含む容器に対して前記保持部材を支持することが可能な支持部材を備えてもよい。
【０００９】
また、本発明は、採取対象物に対して、管部材の先端を配置する工程と、前記管部材の先端側から前記採取対象物の一部を吸引する工程と、拭き取り部材を前記管部材の外周上に保持する保持部材に対して、前記管部材を前記採取対象物から引き上げ、前記管部材の長さ方向に沿って前記拭き取り部材を相対的に変位させる工程と、前記保持部材に対し、前記管部材の先端側とは反対の側である基端側に固定部を有する覆い部材により、前記固定部と前記保持部材との間で前記管部材の外周上を覆う工程と、を備えることを特徴とする採取方法を提供する。
【発明の効果】
【００１０】
本発明によれば、管部材を通じて採取対象物を採取した後に、管部材の外周上を拭き取り部材により拭き取るとともに、覆い部材により管部材の外周上を覆うことができるので、作業性に優れ、採取対象物による汚染を抑制することができる。
【図面の簡単な説明】
【００１１】
【図１】採取装置の一例を示す正面図である。
【図２】採取対象物の一部を吸引した後の採取装置の一例を示す正面図である。
【図３】覆い部材を展開する途中の採取装置の一例を示す正面図である。
【図４】覆い部材を展開した後の採取装置の一例を示す正面図である。
【図５】保持部材の先端に蓋部材を設けた採取装置の一例を示す部分拡大図である。
【図６】支持部材を介して容器に設けた採取装置の一例を示す正面図である。
【図７】採取作業前の保持部材および収容部材の一例を示す縦断面図である。
【図８】採取作業後の保持部材および収容部材の一例を示す縦断面図である。
【発明を実施するための形態】
【００１２】
以下、好適な実施形態に基づき、図面を参照して本発明を説明する。
図１に、本実施形態の採取装置の一例を示す。この採取装置１０は、概略として、採取対象物２１が通過する管部材１１と、採取対象物２１を吸引する吸引部１２と、管部材１１の外周上に設けられた拭き取り部材１３ａを含む拭き取りユニット１３と、管部材１１の外周上を覆う覆い部材１４ａを含む覆いユニット１４と、を備えている。
【００１３】
容器２０から採取対象物２１を採取する際、管部材１１の先端１１ａ側は、採取対象物２１の内部に配置される。吸引部１２、拭き取りユニット１３および覆いユニット１４は、採取対象物２１の外側、例えば容器２０外に配置される。拭き取りユニット１３等の一部が容器２０内に入ってもよい。なお、管部材１１の内部に通じる採取対象物２１の入り口は、必ずしも管部材１１の長さ方向の先端１１ａに設けられる必要はなく、長さ方向に交差する向き、例えば横向きや斜めに開口していてもよい。管部材１１の大部分は、先端１１ａ側が斜め下向きとなるように配置されている。管部材１１の先端１１ａ側とは反対の側である基端１１ｂ側は、下向きに屈曲されている。
【００１４】
管部材１１の基端１１ｂ側には、吸引部１２が連結されている。図示例の吸引部１２は、管部材１１を通じて採取される採取対象物を収容する吸引容器１２ａと、吸引容器１２ａの内部に負圧を発生させる圧縮部材１２ｂとを備えている。吸引容器１２ａは、可撓性材料からなる壁面を有し、圧縮部材１２ｂにより吸引容器１２ａの壁面が弾性的に圧縮変形されている。吸引容器１２ａの内部に通じる採取対象物の出口は、必ずしも管部材１１の長さ方向の基端１１ｂに設けられる必要はなく、長さ方向に交差する向き、例えば横向きや斜めに開口していてもよい。
【００１５】
図２に示すように、吸引容器１２ａから圧縮部材１２ｂを取り外すと、管部材１１を通じて先端１１ａ側から吸引された採取対象物の一部が採取物２２として吸引容器１２ａ内に採取される。このとき、管部材１１の基端１１ｂ側は、吸引容器１２ａ内において、採取物２２よりも上方に位置しているため、採取物２２が基端１１ｂ側から管部材１１を通じて容器２０側に逆流することが防止されている。
【００１６】
拭き取りユニット１３は、拭き取り部材１３ａを保持する保持部材１３ｂを備えている。また、覆いユニット１４は、覆い部材１４ａを収容する収容部１４ｂとを備えている。保持部材１３ｂは、管部材１１の外周上で、管部材１１の長さ方向に沿って相対的に変位可能である。また、収容部１４ｂは、保持部材１３ｂの変位に従って、管部材１１の長さ方向に沿って相対的に変位可能である。収容部１４ｂは、保持部材１３ｂと一体に形成されていてもよく、別体の収容部１４ｂを保持部材１３ｂに連結してもよい。収容部１４ｂを省略して、覆い部材１４ａの外面が露出されてもよい。
【００１７】
覆い部材１４ａは、例えばプラスチック等からなる筒状の部材であってもよい。覆い部材１４ａの両端は、それぞれ固定部１５，１６に固定されている。基端１１ｂ側の固定部１５は、管部材１１の特定の位置に覆い部材１４ａを固定している。例えばリング状の部材を管部材１１の外周に嵌合して固定部１５を構成してもよい。また、先端１１ａ側の固定部１６は、保持部材１３ｂまたはそれと一体化される収容部１４ｂの特定の位置に覆い部材１４ａを固定した箇所である。例えば接着剤等により固定部１６を構成してもよい。
【００１８】
図３に示すように、保持部材１３ｂに対して管部材１１を引き上げると、管部材１１の先端１１ａを容器２０内の採取対象物２１の上方に位置させることができる。保持部材１３ｂの変位に従って、固定部１５，１６の間で収容部１４ｂから覆い部材１４ａが引き出される。覆い部材１４ａの固定部１５，１６間の中間部には、目印１７ａが設けられている。保持部材１３ｂまたは収容部１４ｂの所定の位置に対して目印１７ａの位置を合わせることにより、管部材１１の先端１１ａを目視しなくても、先端１１ａが採取対象物２１の上方に位置していることを容易に確認することができる。
【００１９】
本実施形態の場合、吸引容器１２ａの壁面を外側から押圧することにより、管部材１１を通じて吸引容器１２ａ内の空気を排出し、押圧を解除すると、管部材１１を通じて吸引容器１２ａ内に空気を取り込むことができる。空気の排出を１回または複数回行うと、管部材１１の内面に残留した採取対象物２１を容器２０内に押し出すことができる。これにより、採取装置１０を容器２０から取り出す際に、管部材１１の内面に残留した採取対象物２１の垂れ落ちを抑制することができる。この際、上述したように、吸引容器１２ａ内の採取物２２は、管部材１１側に逆流することなく、吸引容器１２ａ内に保持される。
【００２０】
図３に示す位置においては、採取対象物２１の採取時に管部材１１の外周上が容器２０内の採取対象物２１に接触する範囲と、覆い部材１４ａが管部材１１の外周上を覆う範囲とが、重複していてもよい。この場合は、管部材１１の外周上に採取対象物が付着していても、覆い部材１４ａが付着物の上を覆うことにより、付着物に起因する汚染を抑制することができる。図３に示す位置から引き続き、保持部材１３ｂに対して管部材１１を引き上げると、管部材１１の先端１１ａを容器２０の外側に位置させることができる。
【００２１】
管部材１１の引き上げは、管部材１１の先端１１ａが保持部材１３ｂ内に、または保持部材１３ｂと一体化される収容部１４ｂ内に、格納されるまで継続することが好ましい。このとき、先端１１ａの位置は、容器２０の外側に限らず、容器２０の内側でもよい。保持部材１３ｂの変位に従って、収容部１４ｂから覆い部材１４ａが引き出される結果、基端１１ｂ側の固定部１５と、保持部材１３ｂまたはそれと一体化される収容部１４ｂとの間で、管部材１１の外周上が覆い部材１４ａにより覆われる。これにより、採取対象物の一部が管部材１１の外周上に付着していても、覆い部材１４ａが付着物の上を覆うので、管部材１１の外周上に付着した採取対象物による現場の汚染を抑制することができる。
【００２２】
図４に示すように、覆い部材１４ａには、先端１１ａの引き上げを終了する目安となる目印１７ｂが設けられている。保持部材１３ｂまたは収容部１４ｂの所定の位置に対して目印１７ｂの位置を合わせることにより、管部材１１の先端１１ａを目視しなくても、先端１１ａが保持部材１３ｂまたは収容部１４ｂに格納されていることを容易に確認することができる。
【００２３】
採取物２２の採取作業が完了した後は、図５に示すように、保持部材１３ｂの先端を閉鎖する蓋部材１８が設けられてもよい。蓋部材１８は、例えばキャップのように保持部材１３ｂとは別体で構成されてもよい。また、蓋部材１８の機能を保持部材１３ｂに内蔵してもよい。保持部材１３ｂの先端に蓋部材１８を設けて閉鎖すると、基端側の固定部１５から覆い部材１４ａ、保持部材１３ｂを経て、蓋部材１８までの間が封鎖されるので、管部材１１に残留した採取対象物がこぼれることがない。
【００２４】
作業後の採取装置１０は、全体を回収容器に入れてもよい。回収容器は、袋等の柔軟な容器であると、外部から容器越しに採取装置１０の各部に触れることができる。例えば、透明な回収容器を通して作業後の採取装置１０の状態を確認し、吸引容器１２ａ内に収容された採取物２２が管部材１１に逆行しないように、吸引容器１２ａの姿勢を適切に保持することができる。
【００２５】
図１〜４に示す一連の作業を通じ、容器２０に対して保持部材１３ｂが一定の位置に保持される。図６に示すように、容器２０に保持部材１３ｂを支持することが可能な支持部材２３を用いてもよい。図示例の支持部材２３は、保持部材１３ｂに取り付けられる支持部２３ａと、容器２０に取り付けられる固定部２３ｂと、間接活線工法の治具等により把持することが可能な１つ以上の把持部２３ｃ，２３ｄ，２３ｅとを有する。治具は、特に図示しないが、例えば棒状の治具本体の先に、鋏状の把持体等を設けた構成でもよい。
【００２６】
支持部２３ａは、例えば、穴または切欠等の凹部を設けて、凹部の周縁部を保持部材１３ｂの外周上に接触させることにより、保持部材１３ｂを支持することができる。支持の際、保持部材１３ｂの外周部を弾性的に若干変形させてもよい。あるいは、重力に抗するように、保持部材１３ｂの外周部に段差を設け、段差に支持部２３ａを係合させてもよい。支持部２３ａが保持部材１３ｂと収容部１４ｂとの境界部に接触することで、保持部材１３ｂが支持されてもよい。支持部２３ａが収容部１４ｂに接触することで、間接的に保持部材１３ｂが支持されてもよい。
【００２７】
固定部２３ｂは、例えば容器２０が鉄鋼等の磁性体である場合は、磁石２４を用いてもよい。これにより、支持部材２３を容器２０に取り付ける際には、治具を用いて支持部材２３を容器２０に接近させるだけで取り付け作業を行うことができる。また、支持部材２３を容器２０から取り外す際も、治具を用いて支持部材２３を容器２０から引き離すだけで取り外し作業を行うことができる。容器２０の外周が円筒状である場合、固定部２３ｂの内面を容器２０の外周に沿って湾曲した形状としてもよい。
【００２８】
把持部２３ｃ，２３ｄ，２３ｅが複数箇所に設けられる場合、容器２０の形状や、容器２０の周辺における現場の状況等に応じて、支持部材２３に対する治具の向きを選択することができる。これにより、容器２０に対する支持部材２３の取り付け、取り外しの作業性が向上する。取り付け、取り外しの作業は、支持部２３ａに保持部材１３ｂを支持させた状態で行うことができる。これにより、支持部材２３の操作だけで、採取装置１０全体を容器２０に対して取り付け、または取り外すことができる。
【００２９】
また、支持部材２３には、上述した吸引部１２の圧縮部材１２ｂを連結部材２５により連結してもよい。連結部材２５としては、紐、鎖などの可撓性を有する長尺物が好ましい。これにより、吸引を開始する際に吸引容器１２ａから圧縮部材１２ｂを取り外す際、圧縮部材１２ｂを治具で把持し続けなくても、支持部材２３から落下することなく連結した状態を維持することができる。
【００３０】
図７および図８に、保持部材１３ｂおよび収容部１４ｂを含む本体部１９の断面図を示す。図７は採取作業前の状態を示し、図８は採取作業後の状態を示す。ここで、本体部１９とは、拭き取りユニット１３および覆いユニット１４を含み、上述したように、管部材１１の外周上で、管部材１１の長さ方向に沿って相対的に変位可能な部分である。
【００３１】
管部材１１の長さ方向に沿った保持部材１３ｂの両端部には、それぞれ開口部３０，３４が開口されている。採取作業前または採取作業中には、図７に示すように、管部材１１は、開口部３０，３４を介して保持部材１３ｂの長さ方向を貫通している。管部材１１の通路３３の周囲には、拭き取り部材１３ａが保持されている。覆い部材１４ａは、収容部１４ｂ内に折り畳まれて収容されている。
【００３２】
保持部材１３ｂ内には、管部材１１の側方に弁部３１が設けられている。弁部３１は、管部材１１が通過する位置を開閉する可動部３１ａと、可動部３１ａに連結された固定部３１ｂとを有する。固定部３１ｂは、保持部材１３ｂに固定されている。可動部３１ａは、固定部３１ｂに対して開閉動作が可能である。採取作業前または採取作業中には、図７に示すように、可動部３１ａは管部材１１の側方に待機状態となっている。
【００３３】
採取作業後に、管部材１１の先端１１ａが弁部３１を通過すると、可動部３１ａが動作して、図８に示すように、管部材１１の通路３３を閉鎖する。管部材１１が下降して先端１１ａが可動部３１ａに接触しても、可動部３１ａは保持部材１３ｂに設けられた受け部３２に接触するので、管部材１１の先端１１ａが弁部３１を通過することが阻止される。これにより、管部材１１の先端１１ａが保持部材１３ｂに格納された状態を維持することができる。また、可動部３１ａに対する受け部３２の接触を密にした場合、弁部３１を経由した採取対象物の垂れ落ちを抑止することも可能である。
【００３４】
拭き取り部材１３ａは、上述したように管部材１１の外周上に付着した採取対象物を拭き取る作用だけではなく、管部材１１を伝って垂れ落ちる採取対象物を吸収する作用を有してもよい。拭き取り部材１３ａの材質または性状は、ゴム、ヘラ等のように、採取対象物を掻き落とす作用であってもよい。拭き取り部材１３ａが布、不織布、紙、綿、スポンジ等のように、採取対象物を吸収する作用を有する場合、拭き取り時に吸収するだけではなく、管部材１１の先端１１ａが拭き取り部材１３ａの上方に位置した後でも、通路３３を伝って垂れ落ちる採取対象物を吸収する機能を付与することができる。
【００３５】
管部材１１の外周に対する拭き取り部材１３ａの形状は特に限定されず、拭き取り部材１３ａが一体の筒状でもよく、円弧状または棒状の拭き取り部材１３ａを２つ以上組み合わせてもよく、シート状または糸状の拭き取り部材１３ａを巻回状態に設けてもよい。例えば、細長い板状の拭き取り部材１３ａの短辺を半円状に折り曲げて、保持部材１３ｂの内側に取り付けてもよい。
【００３６】
保持部材１３ｂの先端側の開口部３４の周囲には、通路３３側に向かって反り返るように形成された受容部３５が設けられている。このように、本体部１９が保持部材１３ｂの先端に受容部３５を有することにより、保持部材１３ｂの内部を伝って採取対象物３６が垂れ落ちるときに、採取対象物３６が受容部３５に受容されるので、採取対象物３６が開口部３４を通って落下することを抑制することができる。
【００３７】
収容部１４ｂにおける覆い部材１４ａの収容状態は、特に限定されないが、例えば蛇腹（ベローズ）状に折り畳まれた状態であってもよい。これにより、収容部１４ｂから引き出される覆い部材１４ａの長さが、基端側の固定部１５と保持部材１３ｂまたは収容部１４ｂとの距離に応じて、例えば略比例した長さとなるので、目印１７ａ，１７ｂの位置が設計どおりになりやすい。
【００３８】
以上、本発明を好適な実施形態に基づいて説明してきたが、本発明は上述の実施形態に限定されるものではなく、本発明の要旨を逸脱しない範囲で種々の改変が可能である。
【００３９】
上述の実施形態では、保持部材１３ｂと収容部１４ｂとが別体となる場合を図示して説明したが、上述したように、収容部１４ｂが省略されてもよく、保持部材１３ｂと収容部１４ｂとが一体化された本体部材を用いてもよい。一体の本体部材を用いた場合は、上述の実施形態において保持部材１３ｂまたは収容部１４ｂとして説明した機能を、本体部材の機能として実現してもよい。
【００４０】
採取装置１０を構成する各部の材質は特に限定されないが、プラスチック、ゴム、ポリマー等、軽量で可燃性の材質であると、作業性や廃棄性の観点で好ましい。必要に応じて、耐熱性、耐寒性等の性能を有する材質を選択することが好ましい。管部材１１、吸引容器１２ａ、保持部材１３ｂ、覆い部材１４ａ等が透明な材質から構成される場合、内部における採取対象物の状態を外部から容易に目視で確認することができるので、好ましい。
【００４１】
保持部材１３ｂ等には、採取対象物を吸収する作用を有する吸収部材を設けてもよい。吸収部材は、拭き取り部材１３ａとは異なる材質から構成してもよく、採取対象物に応じて、吸油性または吸水性を有するポリマー、ゲル、粉末等の吸収材が挙げられる。採取対象物は、絶縁油等の油性液体に限らず、水溶液等の水性液体、微粒子を含む分散液など、各種の液状物が挙げられる。採取対象物に固体または気体が含有されていてもよい。
【符号の説明】
【００４２】
１０…採取装置、１１…管部材、１１ａ…先端、１１ｂ…基端、１２…吸引部、１３…拭き取りユニット、１３ａ…拭き取り部材、１３ｂ…保持部材、１４…覆いユニット、１４ａ…覆い部材、１４ｂ…収容部、１５，１６…固定部、１７ａ，１７ｂ…目印、１８…蓋部材、１９…本体部、２０…容器、２１…採取対象物、２２…採取物（採取対象物の一部）、２３…支持部材、２４…磁石、２５…連結部材、３１…弁部、３５…受容部。
【図１】
2019200105.tif 000003
【図２】
2019200105.tif 000004
【図３】
2019200105.tif 000005
【図４】
2019200105.tif 000006
【図５】
2019200105.tif 000007
【図６】
2019200105.tif 000008
【図７】
2019200105.tif 000009
【図８】
2019200105.tif 000010